(57)【特許請求の範囲】
【請求項１】
少なくとも四隅に建てた支柱と、該支柱の長手方向に所定間隔で取り付けた作業床とを有する足場において、
両側端部と上下端部に形成した枠部で囲われた部分に生地が張られてなる足場用シートが前記足場に取り付けられており、
前記足場用シートは、前記上下端部間の中途部分に、前記生地に荷重がかかった際に当該生地の伸張を抑制する補強部材が前記生地に取り付けられており、
前記補強部材を固着してなる前記生地の部分は、前記補強部材が固着されていない前記生地の部分より水平方向の弾性係数が小さく、
前記補強部材は、前記生地に固着される固着片と、前記足場の作業床に連結可能な連結片とを有しており、
前記足場用シートの補強部材は、前記足場用シートを建設現場等の足場に取り付けた際に足場の支柱の長手方向途中部分に架設した前記作業床の近傍に位置していて、前記補強部材の連結片を前記作業床に連結したことを特徴とする足場における足場用シートの取り付け構造。
【請求項２】
前記足場用シートは足場における上下の作業床間の距離１．８ｍを１単位として高さ方向に複数単位分の長さを有しており、前記補強部材は上下端部間における１単位毎の間隔で生地に固着されている請求項１に記載の足場用シートの取り付け構造。
【請求項３】
前記補強部材の長手方向における両端部には、前記足場に連結させるための緊結部を有している請求項１または２に記載の足場用シートの取り付け構造。
【請求項４】
前記補強部材に設けた緊結部は、前記枠部に設けた緊結部よりも前記補強部材の長手方向内側に設けた請求項３に記載の足場用シートの取り付け構造。
【発明の詳細な説明】
【技術分野】
【０００１】
本発明は、例えば建設現場における枠組足場やくさび緊結式足場、その他の足場枠等を含む足場に取り付けられて、建材等の各種部品の落下を防止したり、足場に設けた作業床との間隙から作業員が落下するのを防止したりするための飛来物落下防止用または墜落防止用の足場における足場用シートの取り付け構造に関する。
【背景技術】
【０００２】
従来、建設現場の作業用足場として、例えば図１３（ａ）、（ｂ）に示すような足場１が組まれている。この足場１は、例えば三層の床付き布枠等の作業床を備えた直方体枠形状を足場ユニット２として、これら足場ユニット２を上下左右方向に連結することで形成されている。
図１３に示す足場１の足場ユニット２は、例えば直方体形状の四隅に垂直方向に延びる支柱パイプ３と水平方向に延びる鋼管４とが直交して連結されている（同図（ａ）参照）。高さ方向に所定間隔で鋼管４を設けた三層の各高さ位置には、各支柱パイプ３、３に一対の横架材５、５を連結している（同図（ｂ）参照）。そして図１４に示すように対向する短辺の横架材５、５間に床付き布枠６を作業床として架け渡している。
また、各層間の中間高さには手すりパイプ７が支柱パイプ３に連結されている。
【０００３】
そして、各足場ユニット２の建設物から離れた外側の面に、図１５に示す三層分の長さを有する例えば長方形状のメッシュシート１０が取り付けられ、メッシュシート１０の両側端部と上下端部に設けた補強された枠部１１に所定間隔で穿孔されたはとめ１１ａと両側部の支柱パイプ３、３及び上下端部の鋼管４、４とを緊結ロープや針金等で連結している。
上述のような構成を備えた足場の一例として、下記特許文献１に記載されたものが提案されている。特許文献１に記載された足場は、足場ユニットが２枚の床付き布枠を備えた二層構造とされている。
いずれの構成にしても、通常、足場ユニット２の床付き布枠６とメッシュシート１０との間隙は１０ｃｍ程度以下に抑えられ、荷重がかからなければ部品がメッシュシート１０で囲われた建設現場の外部に落下したり作業員等が間隙から下方に墜落しにくいように構成されている。
【特許文献１】特開平６−２１２８１０号公報
【発明の開示】
【発明が解決しようとする課題】
【０００４】
ところで、例えば図１３乃至図１６に示す三層構造または特許文献１に記載の二層構造の足場１において、足場ユニット２の床付き布枠６で作業中または移動中の作業員がころんだりしてメッシュシート１０側に倒れた場合、メッシュシート１０は両側端部と上下端部の枠部１１のみで足場ユニット２に取り付けられた構成であるため、真ん中の網地部分に荷重がかかると網地の弾性係数により図１６で二点鎖線で示すように凸曲面状に膨らんでしまう。すると、床付き布枠６とメッシュシート１０との間隙Ｋが例えば２５ｃｍ以上に広がり、その間隙から作業員が下方に落下するおそれが生じる欠点があった。
また、図１７（ａ）に示すように、２枚のメッシュシート１０を、はとめ１１ａを通して支柱パイプ３に緊結ロープ等で締結した場合、網地に荷重がかかると同図（ｂ）に示すように緊結ロープが支柱パイプ３周りにずれてしまい、その分だけメッシュシート１０が外側に膨らんで作業床との間隙が作業員等が落下し易くなる程度に増大する欠点もあった。１枚のメッシュシート１０をはとめ１１ａを通して支柱パイプ３に連結する場合にも同様な欠点が生じる。
【０００５】
本発明は、このような実情に鑑みて、作業員等が倒れる等して荷重がかかっても足場との間隙の増大を抑制して墜落の危険性を低減できるようにした足場における足場用シートの取り付け構造を提供することを目的とする。
【課題を解決するための手段】
【０００６】
本発明による足場における足場用シートの取り付け構造は、少なくとも四隅に建てた支柱と、該支柱の長手方向に所定間隔で取り付けた作業床とを有する足場において、両側端部と上下端部に形成した枠部で囲われた部分に生地が張られてなる足場用シートが前記足場に取り付けられており、前記足場用シートは、前記上下端部間の中途部分に、前記生地に荷重がかかった際に当該生地の伸張を抑制する補強部材が前記生地に取り付けられており、前記補強部材を固着してなる前記生地の部分は、前記補強部材が固着されていない前記生地の部分より水平方向の弾性係数が小さく、前記補強部材は、前記生地に固着される固着片と、前記足場の作業床に連結可能な連結片とを有しており、前記足場用シートの補強部材は、前記足場用シートを建設現場等の足場に取り付けた際に足場の支柱の長手方向途中部分に架設した作業床の近傍に位置していて、前記補強部材の連結片を前記作業床に連結したことを特徴とする。
本発明によれば、足場に取り付けられた足場用シートの生地に人が倒れる等して荷重がかかった場合でも補強部材によって生地の伸張を抑制できるから、足場用シートと足場との間隙の広がりが抑えられ、この間隙から人が墜落したりするおそれを抑制できる。
なお、足場用シートの生地は網目のないシートや網地等を含むものとする。
【０００７】
また、補強部材は、足場用シートを建設現場等の足場に取り付けた際に足場の作業床近傍に位置することを特徴とする。
これにより、足場用シートが荷重によって外側に伸張しようとしても補強部材によって生地の伸張が抑制できるために、足場の作業床との間隙が増大することを抑制できる。
また、補強部材を固着してなる生地の部分は、補強部材が固着されていない生地の部分より水平方向の弾性係数が小さいことを特徴とする。
この場合、補強部材は生地に対し弾性係数が同一でも、或いは小さくても大きくてもよく、補強部材が固着された領域における生地の弾性係数が補強部材のない領域の生地の弾性係数より小さければよい。
【０００８】
また、補強部材は前記補強部材は、前記生地に固着される固着片と、前記足場の作業床に連結される連結片とを有している。
この場合、補強部材の材質に関わらず、足場用シートと作業床との間隙の増大を確実に防止できる。
また、足場用シートは足場における上下の作業床間の距離１．８ｍを１単位として高さ方向に複数単位分の長さを有しており、補強部材は上下端部間における１単位毎の間隔で生地に固着されていてもよい。
これにより、足場の作業床の高さと補強部材の高さを同等に位置させることができるから、足場用シートに荷重がかかった場合でも両者の間隙の増大を確実に抑制できる。
また、補強部材の長手方向における両端部には、足場に連結させるための緊結部を有していることが好ましい。
補強部材の両端部に設けたはとめ等の緊結部を緊結ロープ等の緊結部材によって足場に接続することで、わずかな伸張で補強部材が緊張状態に保持され、足場用シートに荷重がかかった場合でも両者の間隙の増大を確実に抑制できる。
また、補強部材に設けた緊結部は、枠部に設けた緊結部よりも補強部材の長手方向内側に設けることが好ましく、これによって足場用シートは補強部材の緊結部によってより小さな荷重または生地の伸張で補強部材を緊張状態に保持できるから、足場用シートの生地の伸張をより一層確実に抑制できる。
【発明の効果】
【００１０】
本発明による足場における足場用シートの取り付け構造は、作業員が倒れる等によって足場用シートに荷重がかかったとしても生地の伸張を補強部材によって抑制できるため、生地と足場との間隙が増大するのを抑えて墜落を防止できる。
しかも、足場用シートに補強部材を固着するだけでよいから、既存の足場用シートにも取り付け可能であると共に、構成と製作が簡単で製造コストの増大を抑制できる。
また、足場の作業床に連結片を連結したので、補強部材の材質に関わらず、足場用シートと作業床との間隙の増大を確実に防止できる。
【発明を実施するための最良の形態】
【００１１】
以下、本発明の実施形態を添付図面により説明するが、上述の従来技術と同一または同様な部材、部分等には同一の符号を用いて説明する。
図１乃至図３は第一の実施形態によるメッシュシートを示すもので、図１は正面図、図２は枠組足場にメッシュシートを取り付けた状態の側面図、図３（ａ）、（ｂ）は支柱パイプにメッシュシートを緊結部材で取り付けた状態を示す図である。
本第一の実施形態による足場用シートとしてのメッシュシート２０は、例えば図１に示すように略長方形形状を有しており、その両側部と上下端部を囲う例えば合成繊維製の枠部２１と、枠部２１で囲われた網目を有する網地２２とで概略構成されている。枠部２１は網地２２よりも高い強度の補強部をなしており、所定間隔で穴が穿孔されたはとめ２１ａを有している。
【００１２】
このメッシュシート２０はその長手方向（上下方向）に沿って等間隔に例えば２枚の補強部材２３が水平方向に分散して配設され、網地２２に例えば接着剤や縫いつけ等の適宜固着手段によって固着されている。網地２２は例えば合成繊維や綿等であって難燃性または防炎加工を施した日本工業規格Ａ８９５２（建築工事用シート）に定めるもので形成されている。なお、補強部材２３の強度は少なくとも７０ｋｇｆ以上、好ましく１００ｋｇｆ以上とする。
補強部材２３は例えば延びにくい布やワイヤロープ等で帯状または線状に構成され、より具体的にはその弾性係数が網地２２と同等またはより小さいもので形成されている。例えば接着用の布製テープであってもよく、或いは網地２２と同一の材質でもよい。各補強部材２３はその両端部が側端部の枠部２１に重なり、それぞれ緊結部として、はとめ２３ｃが穿孔されていることが好ましい。なお、補強部材２３のはとめ２３ｃは枠部２１に設けたはとめ２１ａよりも内側に設けることが好ましく、このようなはとめ２３ｃを支柱パイプ３即ち支柱に緊結することで網地２２の伸張を一層抑制できる。例えば補強部材２３のはとめ２３ｃはその長手方向の端部から１〜１５ｃｍ、好ましくは２〜５ｃｍ内側の位置に設けるものとする。
そして、メッシュシート１０を図２に示す足場ユニット２に取り付けた場合、各補強部材２３、２３は上側と下側の床付き布枠６、６に水平方向に対向する位置に設けられることになる。床付き布枠６、６は作業のための作業床を構成する。
枠部２１の上下端部と各補強部材２３の間隔は例えば約１．８ｍとし、足場ユニット２における上下端部と各床付き布枠６との間隔も同様に例えば約１．８ｍとする。
【００１３】
上述の構成を有するメッシュシート２０を、図２に示すように、足場ユニット２に取り付ける場合、枠部２１の各はとめ２１ａに緊結ロープや針金、バックル等の締結部材２４を通して足場ユニット２の支柱パイプ３、３及び上下端部の鋼管４、４に固定する。このとき、補強部材２３の端部位置では、図３（ａ）に示すように補強部材２３の端部に設けたはとめ２３ｃ（緊結部）を支柱パイプ３に連結して固定するものとする。或いは、補強部材２３の端部を支柱パイプ３等の足場ユニット２に固定しなくてもよい。
補強部材２３の両端部をバックルで支柱パイプ３に連結する場合、図３（ｂ）に示すように補強部材２３の各端部にループ状のベルト２４ａを固着し、ベルト２４ａの一部を分離してバックル部２４ｂを設けて着脱可能とする。
なお、複数の足場ユニット２、２を連結して使用する場合、補強部材２３のない部位では図１７（ａ）に示すように各足場ユニット２、２に取り付けるメッシュシート２０，２０の枠部２１のはとめ２１ａ、２１ａ同士を支柱パイプ３等に結んで固定してもよい。
【００１４】
そして、作業用足場１として組まれた足場ユニット２の床付き布枠６で作業者が転ぶなどしてメッシュシート２０の上下の補強部材２３，２３間の中間部分に体重や荷重がかかった場合、メッシュシート２０は枠部２１のはとめ２１ａで足場ユニット２の支柱パイプ３及び鋼管４に連結されているため、上下の床付き布枠６、６の中間部分では外側に伸張して膨らもうとするが、各床付き布枠６、６に対向するメッシュシート２０の位置に設けた補強部材２３，２３が網地２２の伸張を抑制する。そのため、床付き布枠６、６とメッシュシート２０の補強部材２３，２３との間隙Ｋの増大を抑制し、間隙Ｋを作業員の人幅以下に制限できるから作業員が落下するのを抑制できる。
なお、補強部材２３を固定する位置が床付き布枠６の高さ位置に対して若干上下にずれていても、同様に床付き布枠６とメッシュシート２０との間隙Ｋの増大を抑制できる。この場合、床付き布枠６より若干上側に補強部材２３を固着することが好ましい。
【００１５】
上述のように、本実施形態による足場用のメッシュシート２０によれば、作業員等の荷重がメッシュシート２０にかかったとしても網地２２の弾性係数による伸張及び変形を補強部材２３によって抑制できるため、網地２２と足場ユニット２の床付き布枠６との間隙Ｋが増大するのを抑えて間隙Ｋから作業員等が墜落するのを防止できる。しかも、メッシュシート２０に補強部材２３を固着するだけでよいから、既存のメッシュシート２０にも採用でき、作業用足場１の組立と解体工数を増大させることなく、構成と製作も簡単で製造コストの増大を抑制できる。
また、メッシュシート２０の補強部材２３をはとめ２３ｃを介して支柱パイプ３に固定するようにすれば、メッシュシート２０が荷重によって伸張しようとした場合でも、補強部材２３を緊張状態に保持できて床付き布枠６とメッシュシート２０との間隙Ｋの増大をより確実に抑制できる。この場合、補強部材２３のはとめ２３ｃの位置をメッシュシート２０の枠部２１に設けたはとめ２１ａの位置よりも内側にすれば、わずかな荷重がメッシュシート２０にかかるだけで補強部材２３が緊張状態に保持されるために、網地２２の伸張がより抑えられる。
【００１６】
次に本発明の第二実施形態によるメッシュシートを図４乃至図７により説明するが、上述の第一実施形態と同一または同様な部材、部分等には同一の符号を用いて説明する。図中、図４（ａ）、（ｂ）はメッシュシートの正面図と補強部材の部分の斜視図、図５はメッシュシートと補強部材の縦断面図、図６は図５の補強部材部分の拡大図、図７はメッシュシートを足場ユニットに取り付けた状態の要部縦断面図である。
図４乃至図６において、本第二実施形態によるメッシュシート２０では、第一実施形態における帯状の補強部材２３に代えて断面略Ｌ字または略くの字形状の補強部材２５がほぼ同一箇所に固着されている。この補強部材２５は例えば補強部材２３と同一の材質で形成され、断面略Ｌ字またはくの字の一方の面である固着片２６は網地２２に固着され、他方の面である連結片２７は網地２２に固着されておらずに垂れ下がっている。補強部材２５の連結片２７は例えば図４（ｂ）に示すように網地２２から分離して傾斜する方向に突出していてもよい。連結片２７には例えばはとめ２７ａ（緊結部）が固着片２６と連結片２７にそれぞれ適宜数（図では２個づつ）穿孔されている（図４（ｂ）参照）。
なお、補強部材２５は材質の剛性が小さい布地状のものである場合には必ずしも屈曲していなくてもよく、網地２２に固着された固着片２６と固着されていない連結片２７とが長手方向に連続する帯状等であればよい。
【００１７】
このメッシュシート２０を図７、図８に示すように足場ユニット２に取り付ける場合、枠部２１の各はとめ２１ａに緊結ロープや針金やバックル等の締結部材２４を通して足場ユニット２の支柱パイプ３、３及び上下端部の鋼管４、４に固定する。この状態で、補強部材２５の連結片２７を床付き布枠６の下側に折り曲げて位置させて床付き布枠６に結びつける（図８参照）。
ここで床付き布枠６は、図８に示すように縦断面視コの字形状をなす略板状の上面６ａと上面６ａの両側板間に連結された例えば梁状の連結部材６ｂとを備えている。そのため、補強部材２５の連結片２７に穿孔したはとめ２７ａを通した緊結ロープや針金等の締結部材２４で連結部材６ｂと連結片２７とを結びつけるものとする。
なお、床付き布枠６のはとめ２７ａとの連結構造は必ずしも梁状の連結部材６ｂである必要はなく、例えば床付き布枠６の側壁等に穴を開けて連結片２７のはとめ２７ａと締結部材２４で結びつけてもよい。
【００１８】
上述のように本第二実施形態によるメッシュシート２０によれば、補強部材２５を床付き布枠６に直接結びつけるため、確実にメッシュシート２０を足場ユニット２の床付き布枠６に接続でき、補強部材２５の材質に関わらず、作業員等が倒れる等してメッシュシート２０の荷重がかかったとしても床付き布枠６との間の間隙Ｋが広がることがなく、一層確実に墜落を防止できる。
【実施例】
【００１９】
次に本発明の第一実施形態によるメッシュシート２０に設けた補強部材２３に関して、メッシュシート２０に水平荷重をかけた場合の間隙Ｋの変位量（網地の伸び量）を測定した。これを実施例として説明する。
図９に示す三層構造の枠組足場からなる足場ユニット２において、第一実施形態によるメッシュシート２０を枠部２１の全てのはとめ２１ａで支柱パイプ３、３及び上下端の鋼管４、４に締結部材２４としての緊結ロープで結びつけた。メッシュシート２０は縦×横の寸法が５．１ｍ×１．８ｍである。
図１０に示す実施例として、メッシュシート２０において、足場ユニット２の下端から１７２５ｍｍの高さ位置（第一層）に補強部材２３としてメッシュシート２０の網地２２と同一素材からなる帯状部材を幅１０ｃｍ×水平方向の長さ１．８ｍの寸法とした。この補強部材２３はメッシュシート２０の下端から１７２５ｍｍの高さ位置の中央部で内側の網地２２に貼着し、補強部材２３の両端部のはとめ２３ｃ（枠部２１のはとめ２１ａより若干内側に位置する）を緊結ロープで足場ユニット２の支柱パイプ３に固定した。
メッシュシート２０の水平方向変位量の試験に際して、板状の木片Ｗにワイヤ２９を連結して補強部材２３及び網地２２を通してワイヤ２９を水平方向に引っ張るようにする。
また、図１１に示す比較例は、補強部材２３を取り付けない実施例と同一寸法のメッシュシート２０を用いた。そして、下端から１７２５ｍｍの高さでメッシュシート２０の幅より短い板状の木片Ｗにワイヤ２９を連結して網地２２を通して実施例と同様に水平方向に引っ張るようにした。
実施例と比較例について、図９に示すように、ワイヤ２９を水平方向に延ばして、滑車３０を介してワイヤ２９の他端に重り３１を吊り下げた。
【００２０】
そして、実施例と比較例について、ワイヤ２９の他端に吊り下げた重り３１の荷重を増大させることでメッシュシート２０に対する引っ張り荷重を次第に増大させて網地２２の水平方向移動量を測定して、床付き布枠６との間隙Ｋとして水平方向の移動量を測定した。その結果を示すと図１２に示す通りになった。
図１２に示す試験結果から、補強部材２３を設けない比較例では、荷重の増大につれて移動量（床付き布枠６との間隙Ｋ）が増大し、荷重４００Ｎで約３００ｍｍとなった。この場合には床付き布枠６との間隙Ｋから作業員等が落下するおそれのある隙間になった。
これに対し、補強部材２３として網地２２の帯状部材を固着した実施例では、荷重４００Ｎでも移動量（床付き布枠６との間隙Ｋ）は１００ｍｍ〜１２０ｍｍ程度であった。この程度の間隙Ｋであれば作業員は肩や上体が床付き布枠６とメッシュシート２０との間隙Ｋに引っかかることなどにより墜落を防止できる可能性が高い。
【００２１】
なお、本発明の実施形態による補強部材２３，２５は、上述のように網地２２より弾性係数が小さいかまたは同一の材質からなることが好ましいが、網地２２より弾性係数が大きくても網地２２と一体に固着されて全体として網地２２よりも伸張しにくい特性を発揮できればよい。
また、第二実施形態による補強部材２５は床付き布枠６に締結するものであるから、その材質は必ずしも網地２２より弾性係数が小さくなくてもよく、荷重がかかることで容易に断裂等しにくい材質であれば任意のものを採用できる。また、メッシュシート２０は長方形状に限定されることなく、正方形等適宜の形状を採用できることはいうまでもない。
また、上述の実施形態では足場用シートとしてシート状の網地２２を生地とするメッシュシート２０を用いたが、本発明による足場用シートはこれに限定されることなく、例えば網目のない合成樹脂製や木綿製のシート等でもよく、その他各種の生地を用いたものを足場用シートとして採用できる。
【図面の簡単な説明】
【００２２】
【図１】本発明の第一実施形態によるメッシュシートの正面図である。
【図２】足場ユニットにメッシュシートを取り付けた状態の側面図である。
【図３】（ａ）は支柱パイプにメッシュシートを緊結ロープで結んだ状態を示す図、（ｂ）は同じく支柱パイプにメッシュシートをバックルで結んだ状態を示す図である。
【図４】本発明の第二実施形態によるメッシュシートを示すもので、（ａ）は正面図、（ｂ）は第二補強部材をメッシュシートに固着した状態の部分斜視図である。
【図５】第二実施形態によるメッシュシートの要部縦断面図である。
【図６】図５のＡ部拡大図である。
【図７】メッシュシートを足場ユニットに取り付けた状態の要部縦断面図である。
【図８】図７のＢ部拡大図である。
【図９】メッシュシートの水平方向への引っ張り試験を示す図である。
【図１０】メッシュテープに補強部材を固着してワイヤで引っ張った実施例を示す図である。
【図１１】メッシュシートに短い粘着テープを貼着してワイヤで引っ張った比較例を示す図である。
【図１２】実施例と比較例について水平方向引っ張り荷重試験の結果を示すグラフである。
【図１３】足場に従来のメッシュシートを取り付けた状態を示す図であり、（ａ）は建設物側から見た図、（ｂ）は側面図である。
【図１４】足場に設けた床付き布枠の平面図である。
【図１５】従来のメッシュシートの正面図である。
【図１６】足場にメッシュシートを取り付けた状態の側面図である。
【図１７】メッシュシートを支柱パイプに緊結ロープで取り付けた状態の図であり、（ａ）はメッシュシートに荷重がかからない状態の図、（ｂ）は荷重がかかった状態の図である。
【符号の説明】
【００２３】
１  足場
２  足場ユニット（足場）
３  支柱パイプ
４  鋼管
６  床付き布枠（作業床）
２０  メッシュシート
２１、２７ａ  はとめ（緊結部）
２２  網地（生地）
２３、２５  補強部材
２４  緊結部材
２５  第二補強部材
２６  固着片
２７  連結片
【図１】
0005376554.tif 000002
【図２】
0005376554.tif 000003
【図３】
0005376554.tif 000004
【図４】
0005376554.tif 000005
【図５】
0005376554.tif 000006
【図６】
0005376554.tif 000007
【図７】
0005376554.tif 000008
【図８】
0005376554.tif 000009
【図９】
0005376554.tif 000010
【図１０】
0005376554.tif 000011
【図１１】
0005376554.tif 000012
【図１２】
0005376554.tif 000013
【図１３】
0005376554.tif 000014
【図１４】
0005376554.tif 000015
【図１５】
0005376554.tif 000016
【図１６】
0005376554.tif 000017
【図１７】
0005376554.tif 000018